(57)【要約】【課題】成形用金型に組込まれる金型用部材の汎用性を高め低コスト化を実現可能な金型用アタッチメント、成形用金型及び成形品を提供する。【解決手段】成形品Ｐを成形する成形用金型１に取付けられるアンダーカット処理機構２０を成形用金型１に対して位置決めするための金型用アタッチメント１０であって、金型用アタッチメント１０を成形用金型１に対して位置決めするフランジ１１と、フランジ１１と一体的に形成された、又はフランジ１１が取付けられた本体部１３と、を備え、本体部１３を介してアンダーカット処理機構２０を成形用金型１に対して位置決め可能に構成されている。【選択図】図１
2018114616.tif 000002
【特許請求の範囲】
【請求項１】
成形品を成形する成形用金型に取付けられる金型用部材を前記成形用金型に対して位置決めするための金型用アタッチメントであって、
本金型用アタッチメントを前記成形用金型に対して位置決めする位置決め手段と、
前記位置決め手段と一体的に形成された、又は前記位置決め手段が取付けられた本体部と、
を備え、
前記本体部を介して前記金型用部材を前記成形用金型に対して位置決め可能に構成されていることを特徴とする金型用アタッチメント。
【請求項２】
さらに前記本体部に一体的に形成され、又は前記本体部に取付けられ、前記金型用部材を拘束するように構成された拘束手段を備えることを特徴とする請求項１に記載の金型用アタッチメント。
【請求項３】
前記拘束手段は、前記金型用部材に対し、嵌合、係合、螺合、密接又は接合するように構成されていることを特徴とする請求項２に記載の金型用アタッチメント。
【請求項４】
前記拘束手段は、前記金型用部材に対し、前記成形用金型の型締め及び型開き方向に対し交差する方向にスライドして係合するように構成されていることを特徴とする請求項２に記載の金型用アタッチメント。
【請求項５】
前記金型用部材は、前記成形品のアンダーカット部を成形するとともに、前記アンダーカット部の型抜きを行うために前記成形用金型の型開き方向に対し交差する方向に移動する形状駒と、前記成形用金型の一部に内設されるホルダーと、前記形状駒に一体的に形成された又は前記形状駒に連結された前記ホルダー内を摺動し前記形状駒を移動させる摺動駒と、前記摺動駒を保持した状態で前記ホルダー内を摺動する保持駒とを備えるアンダーカット処理機構であり、
前記拘束手段は、前記ホルダーを拘束するように構成されていることを特徴とする請求項２から４のいずれか１項に記載の金型用アタッチメント。
【請求項６】
前記拘束手段は、前記ホルダーに対し、前記形状駒の移動方向、前記成形用金型の型締め及び型開き方向のうち、少なくとも一方に対し交差する方向にスライドして係合するように構成されていることを特徴とする請求項５に記載の金型用アタッチメント。
【請求項７】
請求項１から６のいずれか１項に記載の金型用アタッチメントを備えることを特徴とする成形用金型。
【請求項８】
請求項１から６のいずれか１項に記載の金型用アタッチメント、又は請求項７に記載の成形用金型で成形された成形品。
【発明の詳細な説明】
【技術分野】
【０００１】
本発明は、成形品を成形する成形用金型に取付けられ使用される金型用アタッチメント、成形用金型及び成形品に関する。
【背景技術】
【０００２】
成形品を成形する成形用金型では、成形品の形状や装置構成に応じて成形用金型ごとに寸法が異なり、これに伴い成形用金型の各構成部材の要求寸法も異なる。このため寸法が互いに異なる各成形用金型は、他の成形用金型と共用することができない専用部材を有している。
【０００３】
専用部材は、各成形用金型に対して個別に設計及び加工が必要であり、共用化又は標準化が可能な構成部材と比べて高価になることが多い。
【０００４】
例えば、本件出願人が既に出願した樹脂成形用金型装置（特許文献１参照）は、エジェクタピンによる成形品の突出し機構に連動して成形品のアンダーカット部の型抜きを可能とする、樹脂成形用金型への加工及び組み込みが容易であり、構成が比較的単純で低コストなアンダーカット処理機構を備えているが、成形品の形状や装置構成、特に、成形用金型の深さ及び突出し機構の突出しストロークに応じて該アンダーカット処理機構の寸法を変更する必要があり、その都度、設計及び加工が必要となっている。
【先行技術文献】
【特許文献】
【０００５】
【特許文献１】特開２００７−１７６０４７号公報
【発明の概要】
【発明が解決しようとする課題】
【０００６】
特許文献１に記載のアンダーカット処理機構等の金型用部材を含む成形用金型において、寸法が互いに異なる各成形用金型に対し、互いの構成部材、特に、比較的高価な専用部材の共有化又は標準化を実現することで、成形用金型の低コスト化が可能となる。
【０００７】
また特許文献１に記載のアンダーカット処理機構において、比較的深い成形用金型にアンダーカット処理機構を取付ける場合、アンダーカット処理機構の全長を長くする必要があり、各構成部材の加工が困難になることがある。
【０００８】
本発明の目的は、成形用金型に組込まれる金型用部材の汎用性を高め低コスト化を実現可能な金型用アタッチメント、成形用金型及び成形品を提供することである。
【課題を解決するための手段】
【０００９】
本発明は、成形品を成形する成形用金型に取付けられる金型用部材を前記成形用金型に対して位置決めするための金型用アタッチメントであって、本金型用アタッチメントを前記成形用金型に対して位置決めする位置決め手段と、前記位置決め手段と一体的に形成された、又は前記位置決め手段が取付けられた本体部と、を備え、前記本体部を介して前記金型用部材を前記成形用金型に対して位置決め可能に構成されていることを特徴とする金型用アタッチメントである。
【００１０】
また本発明の金型用アタッチメントは、さらに前記本体部に一体的に形成され、又は前記本体部に取付けられ、前記金型用部材を拘束するように構成された拘束手段を備えることを特徴とする。
【００１１】
また本発明の金型用アタッチメントにおいて、前記拘束手段は、前記金型用部材に対し、嵌合、係合、螺合、密接又は接合するように構成されていることを特徴とする。
【００１２】
また本発明の金型用アタッチメントにおいて、前記拘束手段は、前記金型用部材に対し、前記成形用金型の型締め及び型開き方向に対し交差する方向にスライドして係合するように構成されていることを特徴とする。
【００１３】
また本発明の金型用アタッチメントにおいて、前記金型用部材は、前記成形品のアンダーカット部を成形するとともに、前記アンダーカット部の型抜きを行うために前記成形用金型の型開き方向に対し交差する方向に移動する形状駒と、前記成形用金型の一部に内設されるホルダーと、前記形状駒に一体的に形成された又は前記形状駒に連結された前記ホルダー内を摺動し前記形状駒を移動させる摺動駒と、前記摺動駒を保持した状態で前記ホルダー内を摺動する保持駒とを備えるアンダーカット処理機構であり、前記拘束手段は、前記ホルダーを拘束するように構成されていることを特徴とする。
【００１４】
また本発明の金型用アタッチメントにおいて、前記拘束手段は、前記ホルダーに対し、前記形状駒の移動方向、前記成形用金型の型締め及び型開き方向のうち、少なくとも一方に対し交差する方向にスライドして係合するように構成されていることを特徴とする。
【００１５】
また本発明は、前記金型用アタッチメントを備えることを特徴とする成形用金型である。
【００１６】
また本発明は、前記金型用アタッチメント、又は前記成形用金型で成形された成形品である。
【発明の効果】
【００１７】
本発明によれば、金型用アタッチメントによって成形用金型に対する金型用部材の位置決めが可能なので、金型用アタッチメントの寸法を変更することで金型用部材の寸法を変更することなく、成形用金型に対する金型用部材の位置調節が可能となる。これにより、異なる寸法の成形用金型に対し金型用部材を共用化又は標準化することが可能となり、金型用部材の汎用性を高め成形用金型全体の低コスト化を実現可能である。
【００１８】
また比較的深い成形用金型に金型用部材を組込む場合においても、金型用アタッチメントの全長を成形用金型の深さに合わせることで対応可能となり、金型用部材を加工が容易な寸法に設定することが可能となる。
【図面の簡単な説明】
【００１９】
【図１】本発明の第１実施形態の成形用金型１の縦断面図である。
【図２】図１の成形用金型１の金型用アタッチメント１０の斜視図である。
【図３】図１の成形用金型１のアンダーカット処理機構２０の分解斜視図である。
【図４】本発明の第２実施形態の金型用アタッチメント５１及び金型用アタッチメント５１に螺合したアンダーカット処理機構５０の縦断面図である。
【図５】本発明の第３実施形態の金型用アタッチメント６１及び金型用アタッチメント５１に螺合したアンダーカット処理機構６０の縦断面図である。
【図６】本発明の第４実施形態の金型用アタッチメント７１及び金型用アタッチメント７１に密接したアンダーカット処理機構７０の縦断面図である。
【図７】本発明の第５実施形態の金型用アタッチメント８０の斜視図である。
【図８】本発明の第６実施形態の金型用アタッチメント８１の斜視図である。
【発明を実施するための形態】
【００２０】
図１は、本発明の第１実施形態の成形用金型１の縦断面図であり、図２は、図１の成形用金型１の金型用アタッチメント１０の斜視図であり、図３は、図１の成形用金型１のアンダーカット処理機構２０の分解斜視図である。なお図１において、後述するホルダー２１、保持駒２２、摺動駒２３、エジェクタピン４４は、断面図ではなく正面図で示している（後述する図４から図６についても同様）。
【００２１】
本発明の第１実施形態の成形用金型１は、図１に示す成形品Ｐを成形する成形用金型であって、固定型４０、可動型４１、可動取付板４２、エジェクタ台板４３、エジェクタピン４４、アンダーカット処理機構２０及び金型用アタッチメント１０を備えている。
【００２２】
なお本発明の特徴は、成形用金型１のアンダーカット処理機構２０を取付ける固定型４０又は可動型４１の深さに応じて金型用アタッチメント１０の全長を変更することで、比較的深い固定型４０又は可動型４１へのアンダーカット処理機構２０の取付けを容易化するとともに、深さの異なる固定型４０又は可動型４１に同一寸法のアンダーカット処理機構２０を適用可能とする点にある。
【００２３】
固定型４０、可動型４１、可動取付板４２、エジェクタ台板４３、エジェクタピン４４は、一般的な成形用金型と同様に構成され、図示しないスペーサブロックを介して可動取付板４２に固定された可動型４１が可動取付板４２の駆動により固定型４０に対して型締め及び型開き方向（図のＹ方向）に往復移動し、エジェクタ台板４３が可動取付板４２（可動型４１）と同期して可動型４１と可動取付板４２との間でＹ方向に往復移動するように構成されている。
【００２４】
アンダーカット処理機構２０は、成形品ＰのＸ方向に突出したアンダーカット部Ｐ１の成形及び型抜きを可能とする機構であり、ホルダー２１、保持駒２２、摺動駒２３及び形状駒２４を備えている。
【００２５】
ホルダー２１は、２つの同一形状の片割ホルダー部材２５（図３参照）を組合せて成り、上端面及び下端面が開口した内部空間を備える箱形筒状に形成されている。ホルダー２１は、金型用アタッチメント１０と係合した状態で成形用金型１の可動型４１に内設される。各ホルダー部材２５は、外面の基端側に金型用アタッチメント１０と係合する係合溝２６を有し、内面に摺動駒２３をガイドする斜溝２７を有している。
【００２６】
ホルダー２１の斜溝２７及び後述する摺動駒２３の斜条３２の長さ及び角度は、成形品Ｐのアンダーカット部Ｐ１の形状、特に、アンダーカット部Ｐ１のＸ方向への突出量と、エジェクタピン４４（エジェクタ台板４３）のストロークとに応じて、成形用金型１の型開き後に形状駒２４が成形品Ｐのアンダーカット部Ｐ１から外れるように決められる。
【００２７】
保持駒２２は、図３に示すように、直方体形状の部材から成り、その下端側にエジェクタピン４４の先端がネジ止め等で固定された状態で型抜き方向（Ｙ方向）に摺動可能にホルダー２１内に収容される。保持駒２２の上端面には、Ｘ方向に延びる突条２９が設けられており、突条２９に摺動駒２３が摺動可能に係合される。
【００２８】
摺動駒２３は、図３に示すように、上端面が下端面に比べて面積の広い台形ブロック部材からなり、下端面に保持駒２２の突条２９に摺動可能に係合する凹溝３１が形成されている。またホルダー２１の斜溝２７に摺動可能に嵌り込む斜条３２が台形状両側面の斜辺に沿って形成されている。
【００２９】
摺動駒２３は、凹溝３１を保持駒２２の突条２９に係合させ、斜条３２をホルダー２１の斜溝２７に嵌め込んだ状態でホルダー２１内に収容され、保持駒２２のＹ方向への移動に連動してホルダー２１の斜溝２７に沿って摺動する。
【００３０】
形状駒２４は、図１に示すように、アンダーカット部Ｐ１を含む成形品Ｐの一部に沿った形状のブロック部材であり、摺動駒２３の上端面にネジ止め等で固定されている。形状駒２４の形状は、成形品Ｐの形状に応じて決められる。なお形状駒２４は、摺動駒２３に一体的に形成されていてもよいが、アンダーカット処理機構２０の汎用性を高める点においては摺動駒２３に後付けする構成であることが好ましい。これは、保持駒２２とエジェクタピン４４との関係においても同様である。
【００３１】
金型用アタッチメント１０は、アンダーカット処理機構２０と係合した状態で成形用金型１の可動型４１に内設され、アンダーカット処理機構２０のスペーサとして機能する。金型用アタッチメント１０は、本体部１３が略円筒形状であり、成形用金型１の可動型４１との位置決めを行うフランジ１１が基端に形成され、アンダーカット処理機構２０のホルダー２１の係合溝２６と係合する係合爪１２が先端に形成されている。金型用アタッチメント１０の本体部１３は、内側をエジェクタピン４４が通過可能な寸法で形成されている。また金型用アタッチメント１０の長さは、可動型４１の深さに応じて、アンダーカット処理機構２０を可動型４１に対して適切な位置に配置可能に設定される。
【００３２】
係合爪１２は、アンダーカット処理機構２０のホルダー２１の係合溝２６に対しＺ方向にスライドして互いに係合するように形成されている。係合時の係合爪１２のスライド方向は、特定の方向に限定されるものではないが、成形用金型１に対するアンダーカット処理機構２０の位置をしっかりと拘束する上では、成形用金型１の型締め及び型開き、アンダーカット処理機構２０の形状駒２４の移動によるホルダー２１のがたつきを防止するために、成形用金型１の型締め及び型開き方向であるＹ方向に交差するとともに、アンダーカット処理機構２０の形状駒２４の移動方向であるＸ方向に交差する方向であることが好ましく、Ｙ方向及びＸ方向に直交するＺ方向であると、より好ましい。
【００３３】
次に、成形用金型１において成形品Ｐを射出成形によって成形する場合を例として、本実施形態の成形用金型１の作用を説明する。成形品Ｐの成形時には、摺動駒２３が可動型４１に内設されたホルダー２１内に収容され、形状駒２４が成形品Ｐのアンダーカット部Ｐ１を成形するように成形位置に支持されている（図１参照）。このような状態で、形状駒２４を含む成形用金型１のキャビティに溶融材料を充填させた後に冷却固化させて、アンダーカット部Ｐ１を備えた成形品Ｐが成形される。
【００３４】
成形品Ｐの成形が終了すると、固定型４０を可動型４１から離脱させた後、エジェクタ台板４３を上方に駆動する。すると、エジェクタ台板４３上に立設されているエジェクタピン４４が型抜き方向であるＹ方向に向って真っ直ぐに突き出し動作を行う。ホルダー２１内では、エジェクタピン４４の先端部に固定されている保持駒２２が、エジェクタピン４４と一緒にＹ方向へ移動する。
【００３５】
保持駒２２のＹ方向への移動に伴って、保持駒２２の突条２９に基端側の凹溝３１が連結支持されている摺動駒２３は、図１に示す成形位置からＹ方向およびＸ方向へ同時に移動する傾斜方向へ移動する。すなわち、摺動駒２３がホルダー２１にある斜溝２７内を摺動しつつ、傾斜方向に沿って案内されホルダー２１外に突出するとともに、形状駒２４がアンダーカット部Ｐ１から遠ざかる。
【００３６】
このように、ホルダー２１内における摺動駒２３の移動は、摺動駒２３の斜条３２とホルダー２１の内壁にある斜溝２７との嵌合関係によって、確実かつ円滑に傾斜方向に案内される。
【００３７】
成形品Ｐが抜き去られると、エジェクタピン４４が成形時の位置に戻るに従い、エジェクタピン４４に引かれて保持駒２２と共に摺動駒２３及び形状駒２４も初期位置に戻る（図１参照）。また、可動型４１も成形位置に戻って、次の成形品Ｐが成形されることになる。ところで、摺動駒２３は、アンダーカット部Ｐ１を含む成形品Ｐ全体の型抜き可能なストロークに応じた長さに設計する。これにより、成形品Ｐの型抜きにおける大きなストロークから小さなストロークまで適宜対応することができる。
【００３８】
本実施形態の成形用金型１によれば、可動型４１（又は固定型４０）に対するアンダーカット処理機構２０の位置を金型用アタッチメント１０によって調節可能となる。これにより、簡素な形状である金型用アタッチメント１０の寸法を変更することで深さの異なる複数の可動型４１（又は固定型４０）に対して同一寸法のアンダーカット処理機構２０を適用可能となり、アンダーカット処理機構２０の汎用性の向上及び低コスト化を実現可能である。
【００３９】
このとき金型用アタッチメント１０の寸法を変更するための設計費及び加工費等が必要となるが、金型用アタッチメント１０は、アンダーカット処理機構２０と比べて構成が簡素なので、アンダーカット処理機構２０の寸法を変更する場合の設計費及び加工費等と比較して有利となる。またアンダーカット処理機構２０（ホルダー２１）の全長を金型用アタッチメント１０によって補うことができるので、アンダーカット処理機構２０をコンパクトに維持することが可能となる。
【００４０】
また可動型４１（又は固定型４０）におけるアンダーカット処理機構２０の取付部の深さが比較的深い場合、金型用アタッチメント１０を使用せずにアンダーカット処理機構２０の全長を長くしようとすると、アンダーカット処理機構２０の加工、特に、ホルダー２１の斜溝２７の加工が困難となる場合がある。本実施形態の成形用金型１によれば、可動型４１（又は固定型４０）の深さに応じて金型用アタッチメント１０の全長を変更することで、アンダーカット処理機構２０の全長を変更する必要がなくなる。従って、このような場合においてもアンダーカット処理機構２０の汎用性の向上、低コスト化及びコンパクト化を実現可能である。
【００４１】
また本実施形態の成形用金型１によれば、金型用アタッチメント１０の構成が簡素であるとともに、金型用アタッチメント１０のアンダーカット処理機構２０への取付け、金型用アタッチメント１０及びアンダーカット処理機構２０の成形用金型１への加工及び組込みが容易であり、さらなる低コスト化を実現可能である。
【００４２】
また本実施形態の成形用金型１によれば、成形する成形品の形状が異なる等の理由で互いに構成、形状及び寸法が異なる成形用金型に対し、基本的には、成形品の形状及び各成形用金型に対するホルダー２１の取付位置に応じて、形状駒２４の形状及び金型用アタッチメント１０の寸法を変更することによってアンダーカット処理機構２０を各成形用金型に適用可能となる。
【００４３】
つまり、アンダーカット処理機構２０を互いに異なる各成形用金型に適用するにあたり、ホルダー２１、保持駒２２及び摺動駒２３の寸法を変更する必要がないので、ホルダー２１内に保持駒２２及び摺動駒２３を組込んだユニットを互いに異なる各成形用金型に共用可能な標準ユニットとすることができる。該標準ユニット化により、アンダーカット処理機構２０の設計費及び加工費を大幅に低減することが可能となる。
【００４４】
図４は、本発明の第２実施形態の金型用アタッチメント５１及び金型用アタッチメント５１に螺合したアンダーカット処理機構５０の縦断面図である。図５は、本発明の第３実施形態の金型用アタッチメント６１及び金型用アタッチメント５１に螺合したアンダーカット処理機構６０の縦断面図である。図１から図３に示す第１実施形態の成形用金型１と同一の構成には同一の符号を付して説明を省略する。
【００４５】
第２及び第３実施形態の金型用アタッチメント５１、６１及び金型用アタッチメント５１、６１に螺合したアンダーカット処理機構５０、６０は、第１実施形態の成形用金型１の金型用アタッチメント１０及びアンダーカット処理機構２０と基本的構成は同じであるが、金型用アタッチメント５１、６１が、それぞれ、係合爪１２に代えて、アンダーカット処理機構５０、６０のホルダー５２、６２に螺合する拘束手段である雌ネジ部５３、雄ネジ部６３を備えている。
【００４６】
図６は、本発明の第４実施形態の金型用アタッチメント７１及び金型用アタッチメント７１に密接したアンダーカット処理機構７０の縦断面図である。図１から図３に示す第１実施形態の成形用金型１と同一の構成には同一の符号を付して説明を省略する。
【００４７】
第４実施形態の金型用アタッチメント７１及び金型用アタッチメント７１に密接したアンダーカット処理機構７０は、第１実施形態の成形用金型１の金型用アタッチメント１０及びアンダーカット処理機構２０と基本的構成は同じであるが、金型用アタッチメント７１の端面７３をアンダーカット処理機構７０のホルダー７２の端面に密接させることで成形用金型１に対するアンダーカット処理機構７０の位置を拘束するように構成されている。
【００４８】
第２から第４実施形態の金型用アタッチメント５１、６１、７１に示すように、本発明における金型用アタッチメントによるアンダーカット処理機構の位置決め及び拘束手段は、特定の手段に限定されるものではなく、係合、螺合、密接、嵌合及び溶接を含む接合等の適宜最適な手段とすればよい。
【００４９】
図７は、本発明の第５実施形態の金型用アタッチメント８０の斜視図である。図８は、本発明の第６実施形態の金型用アタッチメント８１の斜視図である。図６に示す第４実施形態の金型用アタッチメント７１と同一の構成には同一の符号を付して説明を省略する。
【００５０】
第５、第６実施形態の金型用アタッチメント８０、８１は、第４実施形態の金型用アタッチメント７１と基本的構成は同じであるが、第５実施形態の金型用アタッチメント８０の本体部８５が略角筒形状であり、第６実施形態の金型用アタッチメント８１の本体部８６が略平板形状の２つの部材で構成されている。
【００５１】
第５、第６実施形態の金型用アタッチメント８０、８１に示すように、本発明における金型用アタッチメントの本体部の形状は、特定の形状に限定されるものではなく、適宜最適な形状とすればよい。
【００５２】
以上、第１実施形態の成形用金型１、第２から第６実施形態の金型用アタッチメント５１、６１、７１、８０、８１を用いて、本発明の金型用アタッチメント、成形用金型及び成形品を説明したが、本発明の金型用アタッチメント、成形用金型及び成形品は、上記実施形態に限定されるものではなく、要旨を変更しない範囲で変形して使用することができる。例えば、成形用金型、アンダーカット処理機構及び金型用アタッチメントの形状は、具体的に図示したものに限定されるわけではない。
【００５３】
本発明の金型用アタッチメントにおいて、成形用金型への位置決め手段は、各実施形態に示したフランジ１１に限定されるものではない。また本発明の金型用アタッチメントの位置決め手段及び成形用金型に対するアンダーカット処理機構等の金型用部材の位置を拘束する拘束手段は、各実施形態に示したように金型用アタッチメントの本体部に一体的に形成されていてもよく、後付されていてもよい。
【００５４】
また第１実施形態の成形用金型１のアンダーカット処理機構２０において、保持駒２２側に凹溝（図示省略）、摺動駒２３側に突条（図示省略）が形成されていてもよい。同様にホルダー２１側に斜条（図示省略）、摺動駒２３側に斜溝（図示省略）が形成されていてもよい。また保持駒２２と摺動駒２３との連結手段は、突条２９や凹溝３１に限定されるものではなく、保持駒２２が摺動駒２３を移動可能に保持可能な構成であればよく、同様にホルダー２１及び摺動駒２３の斜溝２７、斜条３２についても、これに限定されるものではなく、ホルダー２１が摺動駒２３をがたつくことなくガイド可能な構成であればよい。
【００５５】
また本発明の成形用金型において、金型用アタッチメント及び金型用アタッチメントによって位置決めを行うアンダーカット処理機構等の金型用部材の数は、特定の数に限定されるものではなく、２つ以上であってもよい。
【００５６】
また本発明の成形用金型に使用される各構成部材の材質は、特定の材質に限定されるものではなく、公知の成形用金型に使用される部材の材質と同様のものを適宜用いればよい。ただし各構成部材における摺動面は、摺動性の良好な材質又は摺動性の良好な表面処理が施された材料を用いることが好ましい。なお各摺動面は、面接触であるものに限定されるものではなく、線接触や点接触であってもよい。
【００５７】
また本発明の成形用金型において、各構成部材の角及び側稜にＲ面取りやＣ面取り等が施されていてもよい。
【００５８】
また本発明の成形用金型は、上下に開閉する成形用金型に限定されるものではなく、左右又は別の方向に開閉する成形用金型であってもよい。
【００５９】
また本発明の金型用アタッチメント、成形用金型は、射出成形金型以外にダイカスト金型のようなモールド金型、モールドプレス成形金型などに好適に使用することができる。
【００６０】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６１】
１  成形用金型
１０、５１、６１、７１、８０、８１  金型用アタッチメント
１１  フランジ
１２  係合爪
１３、８５、８６  本体部
２０、５０、６０、７０  アンダーカット処理機構
２１  ホルダー
２２  保持駒
２３  摺動駒
２４  形状駒
５３  雌ネジ部
６３  雄ネジ部
７３  端面
Ｐ  成形品
Ｐ１  アンダーカット部
【図１】
2018114616.tif 000003
【図２】
2018114616.tif 000004
【図３】
2018114616.tif 000005
【図４】
2018114616.tif 000006
【図５】
2018114616.tif 000007
【図６】
2018114616.tif 000008
【図７】
2018114616.tif 000009
【図８】
2018114616.tif 000010